(57)【要約】【課題】兼用型の自動改札機が故障したとき、専用型に自動的に切替えられるようにする。【解決手段】１つの改札通路を入場及び出場の両方に用いることのできる兼用型の自動改札機において、前記自動改札機の本体に組込まれている入場用処理機構及び出場用処理機構の動作の異常状態を検出する検出手段と、前記入場処理機構の動作の異常が検出されたときに前記自動改札機の本体を出場用の専用型に、又は前記出場処理機構の動作の異常が検出されたときにその自動改札機を入場用の専用型に設定する設定手段とを有する。【選択図】　　　図３
2004021284.tif 000002
【特許請求の範囲】
【請求項１】
１つの改札通路を入場及び出場の両方に用いることのできる兼用型の自動改札機において、
前記自動改札機の本体に組込まれている入場用処理機構及び出場用処理機構の動作の異常状態を検出する検出手段と、
前記入場処理機構の動作の異常が検出されたときに前記自動改札機の本体を出場用の専用型に、又は前記出場処理機構の動作の異常が検出されたときにその自動改札機を入場用の専用型に設定する設定手段と、
を有することを特徴とする自動改札機。
【請求項２】
請求項１に記載の自動改札機において、異常が検出されたときにその異常発生を係員に報知する報知手段を設けたことを特徴とする自動改札機。
【請求項３】
請求項１又は２に記載の自動改札機において、異常が検出されたとき、ドアを閉にすることなく処理機構の磁気券の投入口を閉とする投入口閉手段を設けたことを特徴とする自動改札機。
【請求項４】
請求項１〜３のいずれかに記載の自動改札機において、入場用処理機構及び出場用処理機構には、磁気券及び非接触券の両方を処理できる機構がそれぞれ組込まれていることを特徴とする自動改札機。
【請求項５】
請求項１〜４のいずれかに記載の自動改札機において、検出された異常が解消したときに自動改札機の本体を兼用型に復帰させる復帰手段を設けたことを特徴とする自動改札機。
【発明の詳細な説明】
【０００１】
【発明の属する技術分野】
本発明は自動改札機に係り、特に、１つの改札通路を入場用にも出場用にも使用することのできる兼用型の自動改札機に関する。
【０００２】
【従来の技術】
従来、兼用型の自動改札機は、自動改札機の本体を形成する一対の筐体の一方に入場用のカードハンドラ等の入場用処理機構が組込まれ、他方の筐体に出場用処理機構が組込まれている。
【０００３】
上記兼用型の自動改札機は、１台の自動改札機の本体が入場用及び出場用に使用できるので自動改札機の設置台数を少なくすることでき、旅客数の少ない駅や改札口に好適である等の特長を有している。
【０００４】
【発明が解決しようとする課題】
しかしながら、上記従来の兼用型の自動改札機は、入場側あるいは出場側のいずれか一方の処理機構が故障すると、自動改札機の本体全体が稼働停止になり使用効率が低下するという問題点を有していた。
【０００５】
例えば、入場処理機構がジャム等により入場処理ができなくなると、自動改札機の本体は、出場処理機構が処理可能であってもその出場側を含めて全体が稼動停止（ダウン）してしまう。このような一方側の故障のときは、正常側のみの専用型に設定して運転を再開させることができるが、この専用型への切り替え設定は、係員が監視盤等により自動改札機を監視している場合は可能であるが、無人コーナや無人駅では、係員の対応処理が遅れるために全体のダウン状態が継続してしまうという問題点があった。
【０００６】
そこで、本発明は、上記欠点を解決するためになされたものであって、その目的は、兼用型の自動改札機の一方側がダウンしたときに、他方の正常な側の処理を継続して行えるように、自動的に専用型に設定できるようにした自動改札機を提供することにある。
【０００７】
【課題を解決するための手段】
本発明に係る自動改札機は、上記目的を達成するために、請求項１に記載の発明は、１つの改札通路を入場及び出場の両方に用いることのできる兼用型の自動改札機において、前記自動改札機の本体に組込まれている入場用処理機構及び出場用処理機構の動作の異常状態を検出する検出手段と、前記入場処理機構の動作の異常が検出されたときに前記自動改札機の本体を出場用の専用型に、又は前記出場処理機構の動作の異常が検出されたときにその自動改札機を入場用の専用型に設定する設定手段と、を有することを特徴としている。
本発明の請求項２に記載の自動改札機は、異常が検出されたときにその異常発生を係員に報知する報知手段を設けたことを特徴としている。
本発明の請求項３に記載の自動改札機は、異常が検出されたとき、ドアを閉にすることなく処理機構の磁気券の投入口を閉とする投入口閉手段を設けたことを特徴としている。
本発明の請求項４に記載の自動改札機は、入場用処理機構及び出場用処理機構には、磁気券及び非接触券の両方を処理できる機構がそれぞれ組込まれていることを特徴としている。
本発明の請求項５に記載の自動改札機は、検出された異常が解消したときに自動改札機の本体を兼用型に復帰させる復帰手段を設けたことを特徴としている。
【０００８】
【発明の実施の形態】
以下、本発明の実施の形態を図面に基づいて説明する。図１は、一実施の形態に係る兼用型の自動改札機の平面図である。自動改札機の本体（以下、「改札機本体」という。）Ｇは、改札通路Ｐを挾んだ両側に筐体Ｇ１　及び筐体Ｇ２　を配置して構成されている。そして、筐体Ｇ１　には、入場用処理機構が組込まれ、筐体Ｇ２　には、出場用処理機構が組込まれている。
【０００９】
図１中、Ｄ１　は、入場用の利用者（旅客）の通過を阻止することのできるドアであり、Ｄ２　は、出場用の利用者の通過を阻止することのできるドアであり、これらは、通常、図示されるように開状態に保たれている。
【００１０】
筐体Ｇ１　及び筐体Ｇ２　内に組込まれる処理機構は同一であるので、筐体Ｇ１　を例に説明すると、１ａは、筐体Ｇ１　の改札通路Ｐの入口側上部に設けられた図示しない磁気券（普通乗車券、回数券及び定期券等の磁気データを記録してある乗車券類を指している。）の投入口であって、図示しないシャッタにより開閉できるように構成されている。２ａは、筐体Ｇ１　の上面中央部分に設けられた磁気券の取出口（排出口）である。
【００１１】
投入口１ａ及び取出口２ａ間の筐体Ｇ１　内には、図示しないがカードハンドラが設けられている。このカードハンドラには、投入口１ａから投入された磁気券を取出口２まで、又は図示しない集札箱まで搬送できる搬送機構が設けられている。そして、その搬送機構で磁気券を搬送する途中において、磁気券に記録されているデータを読取り、新たなデータ（入場データ（筐体Ｇ２　側では出場データ））を書込み、その書込まれたデータをチェックし、必要に応じてその磁気券にパンチ孔をあけ、又は所定の印字を行って取出口２ａに排出（筐体Ｇ２　では、利用者に返却する必要のない磁気券を集札箱へ集札）できるように構成されている。
【００１２】
図１中、３ａは、筐体Ｇ１　の改札通路Ｐの出口側上面に設けられた表示画面であり、利用者に対して所定の案内を行うことができるように構成されている。また、４ａは、筐体Ｇ１　の入口側上面に設けられたアンテナであって、乗車券が無線通信機能を備えたＩＣカードからなるときの非接触券（図示せず）と交信できるように構成されている。すなわち、このアンテナ４ａに非接触券がかざされると、又はそのアンテナ４ａに軽くタッチされると（以下、タッチで説明する。）、改札機本体Ｇと非接触券との間でデータ授受が行われて所定の入場処理（筐体Ｇ２　側では出場処理）が行われるように構成されている。
【００１３】
図１中、５ａは、筐体Ｇ１　の改札通路Ｐの入口側端面（側面）に設けられた案内部であって、入場（筐体Ｇ２　では出場）しようとする利用者に対して改札通路Ｐへの進入許可，不許可を案内することができるように、つまり、入場処理（筐体Ｇ２　では出場処理）ができるか否かを案内できるように構成されている。したがって、この案内部５ａが改札通路Ｐへの進入を許可できる旨を表示しているときは、投入口１ａに磁気券を投入でき、また、アンテナ４ａに非接触券をタッチして入場処理（筐体Ｇ２　では出場処理）ができる。さらに、案内部５ａが改札通路Ｐへの進入を禁止する旨を表示しているときは、例えば、改札通路Ｐ内に出場用の利用者がいるときは、投入口１ａのシャッタが閉となって磁気券の投入が阻止され、また、アンテナ４ａの交信が禁止される。
【００１４】
図１中、６ａは、筐体Ｇ１　内に設けられた制御器であって、その内容は、図２に示されている。この制御器６ａは、メモリ１０に記憶されているシステムプログラムデータ及びワーキングデータを用いて入場用（筐体Ｇ２　は出場用）の所定の演算処理を行うＣＰＵを中心に形成された制御部１１を有している。この制御部１１には、磁気券を処理するカードハンドラ１２（図１では省略）と、アンテナ４ａを接続した非接触券を処理するリーダライタ１３と、ドアＤ１　（筐体Ｇ２　はＤ２　）を開閉制御するドアドライバ１４と、改札機本体Ｇを監視する図示しない係員室に設置された監視盤と通信を行うための通信制御部１５とが接続されている。なお、制御部１１には、表示画面３ａを駆動制御する表示画面ドライバや案内部５ａを駆動制御する案内ドライバ、あるいは改札通路Ｐ内の利用者を検知する人間検知器のセンサアンプ等が接続されているが、ここでは省略されている。
【００１５】
以下、図３のフローチャートを用いて制御動作について説明する。今、改札機本体Ｇの稼動が開始されたとする（ステップ１００肯定。以下、ステップを「Ｓ」とする。）。自動改札機が正常なとき、すなわち、筐体Ｇ１　及び筐体Ｇ２　にそれぞれ組込まれている処理機構が共に正常で入場処理及び出場処理が正常に行われるときは、改札機本体Ｇは兼用型モードに設定される（Ｓ１０２肯定、Ｓ１０４肯定、Ｓ１０６）。したがって、入場しようとする利用者は、投入口１ａに磁気券を投入して、又は非接触券をアンテナ４ａにタッチして入場することができる。もちろん、この入場処理において、磁気券又は非接触券が無効券のときは、ドアＤ１　が閉じられて入場が拒否され、表示画面３ａ及び図示しないスピーカを介して係員処理等の適切な案内が行われる。また、利用者は、投入口１ｂに磁気券を投入して、又は非接触券をアンテナ４ｂにタッチして出場することができる。もちろん、この出場処理において、磁気券又は非接触券が無効券のときは、ドアＤ２　が閉じられて出場が拒否され、表示画面３ａ及び図示しないスピーカを介して精算処理等の適切な案内が行われる。
【００１６】
ところで、今、例えば、筐体Ｇ１　内のカードハンドラがジャム（券詰り）を起こして入場処理ができない状態になったとする（Ｓ１０２否定）。このような故障検出は、カードハンドラに組込まれているホトセンサ等からなるセンサの検出信号を基に制御部１１により行われる。そして、筐体Ｇ１　の故障発生の場合は、筐体Ｇ１　における入場処理は禁止され、投入口１ａのシャッタは閉とされ、案内部５ａの表示は、改札通路Ｐへの進入を禁止する旨が案内される。また、この故障発生は、通信制御部１５を介して監視盤側に通報される（Ｓ１０８）。なお、改札機本体Ｇが無人コーナ又は無人駅に設置されているときは、通信制御部１５を介して係員室又は有人駅に設けられている上位機器（図示せず）故障発生が報知される。
【００１７】
筐体Ｇ１　に故障が発生しても筐体Ｇ２　が正常で出場処理が可能なときは、利用者が改札通路Ｐから退出した時点で改札機本体Ｇは出場専用型に設定されてそのまま出場処理を継続することとなる（Ｓ１１０肯定、Ｓ１１２）。なお、カードハンドラに組込まれているセンサ等の利用者に絡まない要因で兼用型から専用型に切替えられたときは、利用者が利用中ならばその利用者が改札通路Ｐ外に出た時点で切替えられる。また、利用者が利用中でないときは、その故障の発生時点で専用型に切替えられるが、この場合、投入口１ａのシャッタだけが閉とされ、ドアＤ２　は閉とせず、ドアＤ２　は利用者が改札通路Ｐから出た後に閉じられる。
【００１８】
上述の説明は、筐体Ｇ１　が故障した例であるが、筐体Ｇ２　が故障して筐体Ｇ１　の入場用の専用型に切替わるときも同様に行われる（Ｓ１０４否定、Ｓ１１６、Ｓ１１８）。もちろん、両筐体Ｇ１　，Ｇ２　が共に故障したときは、全停となる（Ｓ１１０否定、Ｓ１１４）。
【００１９】
図３のフローチャートでは示されていないが、改札機本体Ｇに組込まれている故障回復プログラム等によりジャムが解消したり、あるいはリーダライタの機能が正常に復帰したときは、改札機本体Ｇは、再び兼用型に切替えられる。
【００２０】
【発明の効果】
本発明の請求項１に記載の自動改札機は、改札機本体に組込まれている入場用処理機構及び出場用処理機構の動作の異常状態を検出する検出手段と、前記入場処理機構の動作の異常が検出されたときに前記改札機本体を出場用の専用型に、又は前記出場処理機構の動作の異常が検出されたときにその自動改札機を入場用の専用型に設定する設定手段とを有するので、専用型に切替えて処理を継続させることができる。
本発明の請求項２に記載の自動改札機は、異常が検出されたときにその異常発生を係員に報知する報知手段を設けたので、故障を速やかに解消することができる。
本発明の請求項３に記載の自動改札機は、異常が検出されたとき、ドアを閉にすることなく処理機構の磁気券の投入口を閉とする投入口閉手段を設けたので、誤投入を効果的に防止することができる。
本発明の請求項４に記載の自動改札機は、入場用処理機構及び出場用処理機構には、磁気券及び非接触券の両方を処理できる機構がそれぞれ組込まれているので、磁気券のみならず非接触券をも処理することができる。
本発明の請求項５に記載の自動改札機は、検出された異常が解消したときに改札機本体を兼用型に復帰させる復帰手段を設けたので、兼用型に速やかに切替えることができる。
【図面の簡単な説明】
【図１】本発明の一実施の形態に係る自動改札機の平面図である。
【図２】制御器のブロック図である。
【図３】制御動作を示すフローチャートである。
【符号の説明】
Ｇ　自動改札機の本体（改札機本体）
Ｇ１　，Ｇ２　　筐体
１ａ，１ｂ　投入口
２ａ，２ｂ　取出口
３ａ，３ｂ　表示画面
４ａ，４ｂ　アンテナ
５ａ，５ｂ　案内部
６ａ，６ｂ　制御器
Ｄ１　，Ｄ２　　ドア
【図１】
2004021284.tif 000003
【図２】
2004021284.tif 000004
【図３】
2004021284.tif 000005